(57)【要約】【課題】複数の分体からなるリアキャビネットの組立が容易となり、しかも位置ずれを起こし難くした表示装置及びテレビジョン受信機を提供する。【解決手段】表示装置（テレビジョン受信機）が備えるリアキャビネット１は、複数の分体１１，１２，１３がビスによって連結されて構成されている。連結される一方の分体の連結部に、ビスが貫通する複数のボスが設けられ、他方の分体の連結部には、ビスの挿入口の周囲に、ボスとの間に隙間を開けた枠部が設けられている。また、一つの枠部からは内側へ向けて位置決め部が突出しており、ボスとの間の隙間が縮小されている。このため、一つのボスは位置決め部によって精度良く位置決めされる一方で、他のボスでは厳密な位置決めをせずとも、複数の分体の連結が可能である。【選択図】図２
2013243547.tif 000002
【特許請求の範囲】
【請求項１】
正面側に画像を表示する矩形状の表示部と、該表示部の正面側に配置された枠状のフロントキャビネットと、前記表示部の背面側に配置された矩形状のリアキャビネットとを備える表示装置において、
前記リアキャビネットは、矩形状の複数の分体を含んでなり、各分体が一辺に沿って有している連結部が互いに重なって複数のビスで連結されることによって構成されており、
連結される二つの連結部の内、一方の連結部には、ビスの貫通孔を有し、他方の連結部へ向けて凸になった複数のボスが、前記一辺に沿った方向に並設されており、
前記他方の連結部には、前記ボスを貫通したビスが挿入される複数の挿入口が形成され、各挿入口の周囲には、前記一方の連結部へ向けて凸になった枠部が前記ボスの外周との間に隙間を開けて設けられてあり、
何れか一つの枠部は、前記ボスの位置決めをすべく内側へ向けて前記方向に突出した位置決め部を有すること
を特徴とする表示装置。
【請求項２】
前記枠部は、矩形状をなし、一辺が前記方向に沿っていること
を特徴とする請求項１に記載の表示装置。
【請求項３】
前記貫通孔は、貫通するビスよりも前記方向に寸法が大きいこと
を特徴とする請求項１又は２に記載の表示装置。
【請求項４】
前記一つの枠部は、前記複数の挿入口の内、中間の挿入口又は中間に最も近い挿入口の周囲に設けられてあること
を特徴とする請求項１から３までの何れか一つに記載の表示装置。
【請求項５】
請求項１から４までの何れか一つに記載の表示装置と、
テレビジョン放送を受信する受信部とを備え、
前記受信部で受信したテレビジョン放送に基づいて前記表示装置で映像を表示するようにしてあること
を特徴とするテレビジョン受信機。
【発明の詳細な説明】
【技術分野】
【０００１】
本発明は、薄型・大型の表示装置及びテレビジョン受信機に関する。
【背景技術】
【０００２】
テレビジョン受信機及びインフォメーションディスプレイ等の表示装置は、近年、液晶パネル又はＥＬ（Electro Luminescence）パネル等の表示パネルを備えた薄型のものが多い。薄型の表示装置では、表示パネルを含む矩形平板状の表示部の正面側に矩形枠状のフロントキャビネットが備えられ、表示部の背面を覆うリアキャビネットが備えられている。近年では、９０インチ型等のより大型化及び薄型化が進んだ表示装置が開発されている。特許文献１には、フロントキャビネット及びリアキャビネットにリブを備え、リブ同士を嵌合させることでキャビネットを組み立てる技術が開示されている。
【先行技術文献】
【特許文献】
【０００３】
【特許文献１】特許第２５５８８０５号公報
【発明の概要】
【発明が解決しようとする課題】
【０００４】
９０インチ型等の大型の表示装置では、リアキャビネットが巨大になり、一体で作成することは困難であるので、リアキャビネットを複数の分体に分割して作成し、個々に作成した分体を組み合わせることでリアキャビネットを組み立てることが考えられる。表示装置のリアキャビネットは平板状であり、リアキャビネットを分割した複数の分体も平板状である。複数の分体同士は、組立時に複数箇所でビスにより連結される。複数のビス留め箇所において一律に位置決め精度を厳しく設計した場合、夫々の分体には製造時にばらつきが生じるので、リアキャビネットの組立が困難になるという問題がある。逆に、位置決め精度を甘めに設計した場合は、リアキャビネットを組み立てた後で分体同士が位置ずれを起こしやすくなるという問題がある。
【０００５】
本発明は、斯かる事情に鑑みてなされたものであって、その目的とするところは、複数の分体からなるリアキャビネットの組立が容易となり、しかも位置ずれを起こし難くした表示装置及びテレビジョン受信機を提供することにある。
【課題を解決するための手段】
【０００６】
本発明に係る表示装置は、正面側に画像を表示する矩形状の表示部と、該表示部の正面側に配置された枠状のフロントキャビネットと、前記表示部の背面側に配置された矩形状のリアキャビネットとを備える表示装置において、前記リアキャビネットは、矩形状の複数の分体を含んでなり、各分体が一辺に沿って有している連結部が互いに重なって複数のビスで連結されることによって構成されており、連結される二つの連結部の内、一方の連結部には、ビスの貫通孔を有し、他方の連結部へ向けて凸になった複数のボスが、前記一辺に沿った方向に並設されており、前記他方の連結部には、前記ボスを貫通したビスが挿入される複数の挿入口が形成され、各挿入口の周囲には、前記一方の連結部へ向けて凸になった枠部が前記ボスの外周との間に隙間を開けて設けられてあり、何れか一つの枠部は、前記ボスの位置決めをすべく内側へ向けて前記方向に突出した位置決め部を有することを特徴とする。
【０００７】
本発明に係る表示装置は、前記枠部は、矩形状をなし、一辺が前記方向に沿っていることを特徴とする。
【０００８】
本発明に係る表示装置は、前記貫通孔は、貫通するビスよりも前記方向に寸法が大きいことを特徴とする。
【０００９】
本発明に係る表示装置は、前記一つの枠部は、前記複数の挿入口の内、中間の挿入口又は中間に最も近い挿入口の周囲に設けられてあることを特徴とする。
【００１０】
本発明に係るテレビジョン受信機は、本発明の表示装置と、テレビジョン放送を受信する受信部とを備え、前記受信部で受信したテレビジョン放送に基づいて前記表示装置で映像を表示するようにしてあることを特徴とする。
【００１１】
本発明においては、表示装置（テレビジョン受信機）が備えるリアキャビネットは、複数の分体がビスによって連結されて構成されている。連結される一方の分体の連結部に、ビスが貫通する複数のボスが設けられ、他方の分体の連結部には、ビスの挿入口の周囲に、ボスとの間に隙間を開けた枠部が設けられている。また、一つの枠部からは内側へ向けて位置決め部が突出しており、ボスとの間の隙間が縮小されている。このため、一つのボスは位置決め部によって精度良く位置決めされる一方で、他のボスでは枠部との間の隙間のために厳密な位置決めをせずとも連結が可能である。
【００１２】
また、本発明においては、挿入口の周囲の枠部は、分体の一辺に沿った一辺を含んだ矩形状になっているので、分体の一辺に沿った方向及びこの方向に直交する方向にボスの位置が枠部の範囲内で位置決めされる。
【００１３】
また、本発明においては、ボスに形成された貫通孔は、分体の一辺に沿った方向にビスよりも大きい形状になっているので、この方向に分体の位置を調整することが可能になっている。
【００１４】
また、本発明においては、枠部から位置決め部が突出している挿入口は、複数の挿入口の中間又は中間に近い位置にある挿入口であるので、リアキャビネットの分体同士の連結部分における中央部分で精度良く位置決めがなされる。
【発明の効果】
【００１５】
本発明にあっては、リアキャビネットを構成する複数の分体に大きさのばらつきがあったとしても、容易にリアキャビネットの組立を行うことが可能であり、分体同士は位置ずれを起こし難い等、優れた効果を奏する。
【図面の簡単な説明】
【００１６】
【図１】テレビジョン受信機の模式的斜視図である。
【図２】テレビジョン受信機の模式的な分解斜視図である。
【図３】リアキャビネットの背面図である。
【図４】分体の夫々の背面図である。
【図５】リアキャビネットの分体と分体との連結部分を分離して拡大した部分正面図である。
【図６】リアキャビネットの分体と分体との連結部分を分離して拡大した部分背面図である。
【図７】当接部及びその近傍を拡大した模式的背面図である。
【図８】リアキャビネットの分体と分体との連結部分を示す模式的断面図である。
【図９】複数の挿入口の内で中央に位置する挿入口の周囲を拡大した模式的背面図である。
【図１０】リアキャビネットの分体と分体との連結部分の内で位置決め部が設けられた部分を示す模式的断面図である。
【発明を実施するための形態】
【００１７】
以下本発明をその実施の形態を示す図面に基づき具体的に説明する。
図１は、テレビジョン受信機の模式的斜視図であり、図２はテレビジョン受信機の模式的な分解斜視図である。テレビジョン受信機は、例えば９０インチ型のテレビジョン受信機であり、本発明の表示装置を備えたものである。テレビジョン受信機は、液晶パネル又はＥＬパネル等の表示パネルを含んだ矩形平板状の表示部２を備えており、表示部２は金属製のシャーシ４に固定されている。表示部２は、バックライト及び映像処理回路等を含んでいる。また、テレビジョン受信機は、表示部２の正面側に矩形枠状のフロントキャビネット３を備えている。フロントキャビネット３は、金属又は樹脂で形成されており、シャーシ４に固定されている。表示部２及びシャーシ４の周縁部分がフロントキャビネット３で覆われている。フロントキャビネット３は、複数の部品で構成されていてもよい。また、テレビジョン受信機は、表示部２及びシャーシ４の背面を覆うリアキャビネット１を備えている。テレビジョン受信機は、更に、図示しない受信部、入出力インタフェース、制御基板、スピーカ及び電源等の他の部品を備えており、これらの部品はシャーシ４に固定されている。図示しない受信部は、テレビジョン放送を受信し、表示部２は、受信部で受信したテレビジョン放送に基づいた映像を表示する。なお、テレビジョン受信機は、受信部が分離された形態であってもよい。
【００１８】
図３は、リアキャビネット１の背面図である。テレビジョン受信機の背面はリアキャビネット１の外面になっている。リアキャビネット１は、樹脂で全体として矩形状に形成されている。リアキャビネット１は、テレビジョン受信機の他の部品に比べても巨大であり、一体で作成することが困難であるので、三つの分体１１，１２，１３に分割して作成されている。図４は、分体１１，１２，１３の夫々の背面図である。分体１１，１２，１３の夫々は、リアキャビネット１の全体を短手方向に切断した矩形の形状になっている。分体１１，１２，１３の夫々は、外面に交差する複数のビスで互いに連結されて、リアキャビネット１として組み立てられる。リアキャビネット１は、分体１１と分体１２とが連結され、分体１２と分体１３とが連結されて構成されている。また、リアキャビネット１は、ビスでシャーシ４に固定されている。リアキャビネット１の一部はフロントキャビネット３に係止されてもよい。
【００１９】
図５は、リアキャビネット１の分体１１と分体１２との連結部分を分離して拡大した部分正面図である。テレビジョン受信機の正面はリアキャビネット１の内面になっている。図６は、リアキャビネット１の分体１１と分体１２との連結部分を分離して拡大した部分背面図である。分体１１の一辺には連結部５が設けられ、分体１２の一辺には連結部６が設けられている。連結部５と連結部６とが重なって複数のビスで連結されることにより、分体１１と分体１２とが連結される。本実施の形態では、分体１１の連結部５が分体１２の連結部６よりも背面側に配置された状態で連結される形態を示している。また、分体１２の他の一辺には、分体１３と連結されるための他の連結部が設けられている。
【００２０】
連結部５は、矩形状の分体１１の一辺に沿って延びた帯状の部分である。連結部５には、背面側からビスが貫通する複数のボス５１が設けられている。複数のボス５１は、連結部５の長手方向に沿って並設されている。ボス５１は、分体１１の内面から正面側へ向けて凸になっている。分体１１と分体１２とが連結した状態では、ボス５１は連結部６へ向けて凸になっている。また、ボス５１には、ビスが貫通するための貫通孔５２が形成されている。貫通孔５２は、連結部５の長手方向に伸びた長円の形状に形成されている。
【００２１】
連結部６は、矩形状の分体１２の一辺に沿って延びた帯状の部分であり、正面側で連結部５に重なることができるように、分体１２の外面よりも正面側にずれた位置に設けられている。連結部６には、分体１１と分体１２とが連結した状態で連結部５から突出したボス５１が当接するための複数の当接部６１が長手方向に沿って並設されている。夫々の当接部６１は、分体１１と分体１２とを連結したときに夫々のボス５１が当接できる位置に設けられている。また、連結部６が設けられた一辺に対向する他の一辺に沿って、同様の連結部が設けられている。
【００２２】
図７は、当接部６１及びその近傍を拡大した模式的背面図である。当接部６１は、ボス５１の先端部分よりも広い面積を有する平面部分である。当接部６１は分体１２の外面にほぼ平行になっている。当接部６１の中心には、ビスが挿入されるための挿入口６２が形成されている。挿入口６２は、ビスが螺入して固定されるねじ穴の入り口である。分体１１と分体１２とを連結したときには、当接部６１に当接するボス５１を貫通したビスが挿入口６２に挿入され、ねじ穴に螺合して固定される。また、挿入口６２の周囲には、当接部６１から背面側へ凸になった枠部６３が設けられている。分体１１と分体１２とが連結した状態では、枠部６３は連結部５へ向けて凸になっている。枠部６３は、連結部６の長手方向に沿った一辺とこの辺に直交する一辺とを含む矩形に形成されている。また、枠部６３の大きさは、当接部６１に当接されるボス５１の外形よりも一回り大きく、ボス５１の外周との間に隙間が開けられた大きさとなっている。図７中には、ボス５１の外周を破線で示している。
【００２３】
ボス５１の外周と枠部６３との間に隙間があるので、分体１１と分体１２とを連結するときに厳密に位置決めをせずとも、ボス５１は当接部６１に当接することができる。一方で、ボス５１の位置は枠部６３の範囲内に収まり、枠部６３よりも外側にボス５１の位置がずれることは無い。枠部６３の形状は、連結部６の長手方向に沿った一辺と長手方向に直交する一辺とを含む矩形状であるので、連結部５及び連結部６の長手方向、並びに分体１１と分体１２とが離隔する方向に、枠部６３の範囲内に位置決めがなされる。
【００２４】
図８は、リアキャビネット１の分体１１と分体１２との連結部分を示す模式的断面図である。図８では、連結部５及び連結部６を長手方向に切断した断面を模式的に示す。図８中の上側がテレビジョン受信機の背面側であり、下側がテレビジョン受信機の正面側である。連結部５のボス５１の先端は、連結部６の当接部６１に当接しており、ボス５１は枠部６３の内側に配置されている。ビス７は、貫通孔５２を背面側から貫通し、挿入口６２を通ってねじ穴６５に螺合して固定されている。このように、連結部５と連結部６とは重なってビス７で連結されている。貫通孔５２は、長円の形状であり、複数のボス５１が並んだ方向にビス７の外径よりも大きくなっている。このため、連結時に、貫通孔５２の大きさの範囲内で、連結部５の連結部６に対する相対的な長手方向の位置を調整することが可能である。なお、貫通孔５２の形状は、長円に限るものでは無く、連結部５の長手方向の大きさがビス７の外径よりも大きい形状であれば、ビス７よりも一回り大きい真円等、その他の形状であってもよい。また、ビス７を固定する方法は、ビス７をねじ穴６５に螺合する方法に限るものではなく、ビス７がナットで締結される等、ビス７は他の方法で固定されてもよい。
【００２５】
図９は、複数の挿入口６２の内で中央に位置する挿入口６２の周囲を拡大した模式的背面図である。挿入口６２の周囲に設けられた枠部６３には、ボス５１を位置決めするための位置決め部６４が、連結部６の長手方向に沿って内側へ向けて突出して形成されている。位置決め部６４は、枠部６３と同様に当接部６１から背面側へ凸になって形成されている。位置決め部６４は、枠部６３の二箇所から向かい合わせに挿入口６２へ向けて突出している。位置決め部６４は、枠部６３の内側へ突出してボス５１に近接しており、連結部６の長手方向に沿ったボス５１との間の隙間を縮めている。分体１１と分体１２とを連結するときには、当接部６１に当接したボス５１は位置決め部６４によって位置を規制され、他の当接部６１に当接するボス５１よりも厳密に位置決めされる。なお、位置決め部６４が突出しすぎている場合、作業者は、位置決め部６４の先端を削ることでボス５１と位置決め部６４との間の隙間を修正することができる。
【００２６】
図１０は、リアキャビネット１の分体１１と分体１２との連結部分の内で位置決め部６４が設けられた部分を示す模式的断面図である。図８と同様に、図１０は、連結部５及び連結部６を長手方向に切断した断面を示し、図１０の上側がテレビジョン受信機の背面側であり、下側が正面側である。枠部６３からボス５１へ向かって両側から位置決め部６４が突出しており、ボス５１の位置は位置決め部６４によって規制されている。このため、図８に示した部分に比べて、連結部５の連結部６に対する相対的な位置が変更される余地が非常に小さくなっている。従って、連結部５は連結部６に対して厳密に位置決めされることになり、位置ずれが困難になっている。
【００２７】
分体１３と分体１２との連結部分も同様の構造となっており、分体１３に連結部５が設けられ、分体１２の他の一辺に沿って連結部６が設けられてあり、ビスによって連結される。なお、図１０には、ボス５１が当接部６１に直接に当接している形態を示したが、リアキャビネット１は、ボス５１と当接部６１との間に他の物体を介在させた形態であってもよい。
【００２８】
以上のように、複数の分体に分割されたリアキャビネット１では、一方の分体１１の連結部５に複数のボス５１が設けられ、他方の分体１２の連結部６には、ボス５１を貫通するビス７が挿入される挿入口６２の周囲に、ボス５１との間に隙間を開けた枠部６３が設けられている。また、複数の枠部６３の内の一つの枠部６３には、連結部６の長手方向に枠部６３の内側へ突出した位置決め部６４が設けられており、連結部６の長手方向に沿った枠部６３とボス５１との間の隙間が縮小されている。リアキャビネット１の複数の分体を連結する際には、位置決め部６４が設けられた部分にビス７で連結されるボス５１は、位置決め部６４によって位置が規制され、精度良く位置決めされる。位置決めの作業は、枠部６３の二箇所から突出した位置決め部６４の隙間にボス５１を配置するだけであり、作業者は容易に位置決めを行うことができる。
【００２９】
一方で、他の部分に連結されるボス５１は、枠部６３との間に隙間が開けられており、ボス５１に形成された貫通孔５２はビス７よりも大きいので、ボス５１の厳密な位置決めをすること無く、ビス７による連結が可能である。即ち、作業者は、複数の分体の連結時に複数のボス５１の内の一つの位置決めを行うだけで、容易にリアキャビネット１を組み立てることが可能となる。分体１１，１２，１３の夫々の大きさにばらつきがあったとしても、夫々のボス５１が枠部６３の範囲に収まる程度のばらつきであれば、容易にリアキャビネット１の組立を行うことが可能である。また、複数のボス５１の内の一つは厳密に位置決めされ、このボス５１の位置は位置決め部６４によって規制されているので、分体同士は位置ずれを起こし難い。従って、本実施の形態に係るテレビジョン受信機では、複数の分体１１，１２，１３からなるリアキャビネット１の組立が容易となり、しかも分体同士の位置ずれが発生し難くなっている。
【００３０】
また、本実施の形態では、一列に並んだ複数のボス５１の内で中央に位置するボス５１の位置決めを高精度に行うので、分体１１，１２，１３の大きさにばらつきがあったとしても、分体間の大きさの違いが目立ち難く、リアキャビネット１の見た目の品位の低下が抑制される。このように、位置決め部６４が内側に突出した枠部６３は、複数の挿入口６２の内で中間の位置にある挿入口６２の周囲に設けられた枠部６３であることが望ましい。また、位置決め部６４が内側に突出した枠部６３は、複数の挿入口６２の内で中間の位置から最も近い位置にある挿入口６２の周囲に設けられた枠部６３であってもよい。複数の挿入口６２の中間の位置から最短の位置に二つの挿入口６２がある場合、何れか一方の挿入孔６２の周囲に位置決め部６４が設けられていてもよく、両方に位置決め部６４が設けられていてもよい。これらの形態においても、リアキャビネット１の分体間の大きさの違いが目立ち難くなる。
【００３１】
なお、本実施の形態においては、リアキャビネット１の連結部分において分体１１，１３が分体１２よりも背面側に配置された形態を示したが、分体間の位置関係はこれに限るものではなく、その他の位置関係であってもよい。また、本実施の形態においては、リアキャビネット１の全体を短手方向に切断した形状の三つの分体１１，１２，１３からリアキャビネット１が構成された形態を示したが、リアキャビネット１は、その他の形状の複数の分体から構成された形態であってもよい。例えば、リアキャビネット１は、二つの分体から構成された形態であってもよく、四つ以上の分体から構成された形態であってもよい。また例えば、リアキャビネット１は、リアキャビネット１の全体を長手方向に切断した形状の複数の分体から構成された形態であってもよく、リアキャビネット１の全体を長手方向及び短手方向に切断した形状の複数の分体から構成された形態であってもよい。これらの形態においても、分体間の連結部分は、本実施の形態と同様の構成となっている。
【００３２】
また、本実施の形態においては、本発明の表示装置がテレビジョン受信機に備えられた形態を示したが、表示装置はその他の形態であってもよい。例えば、本発明の表示装置は、インフォメーションディスプレイであってもよい。
【符号の説明】
【００３３】
１  リアキャビネット
１１、１２、１３  分体
２  表示部
３  フロントキャビネット
４  シャーシ
５，６  連結部
５１  ボス
５２  貫通孔
６１  当接部
６２  挿入口
６３  枠部
６４  位置決め部
７  ビス
【図１】
2013243547.tif 000003
【図２】
2013243547.tif 000004
【図５】
2013243547.tif 000005
【図６】
2013243547.tif 000006
【図７】
2013243547.tif 000007
【図８】
2013243547.tif 000008
【図９】
2013243547.tif 000009
【図１０】
2013243547.tif 000010
【図３】
2013243547.tif 000011
【図４】
2013243547.tif 000012